【手続補正書】
【提出日】平成29年10月18日(2017.10.18)
【手続補正１】
【補正対象書類名】特許請求の範囲
【補正対象項目名】全文
【補正方法】変更
【補正の内容】
【特許請求の範囲】
【請求項１】
縦方向と横方向とを有する前胴回り域と後胴回り域それぞれの側縁部を形成しているシートどうしが合掌状に重なり合い、前記縦方向に分布する多数のスポットにおいて固定されて側部シーム域が形成されるとともに、胴回り開口と一対の脚回り開口とが形成されていて前記縦方向に延びる中心線に関して対称となる使い捨てのパンツ型の着用物品であって、
前記前胴回り域と前記後胴回り域それぞれの前記シートは熱可塑性合成繊維の繊度が０．１−４ｄｔｅｘであって、単位面積当たりの質量が７−２５ｇ／ｍ２の範囲にある少なくとも２枚の不織布によって形成され、
前記２枚の不織布のうちの少なくとも１枚は前記縦方向の引張り強度が前記横方向の引張り強度よりも低いものであり、
前記側部シーム域は前記横方向の寸法が３ｍｍを超えることのないものであり、
前記側部シーム域には、前記縦方向の寸法が１．５ｍｍを超えることのない多数の前記スポットであって、前記縦方向へ直状に延びる１本の仮想線に接して前記縦方向へ延びる列を形成し、前記縦方向で隣り合う前記スポットどうしの最小離間寸法が０．４〜５ｍｍの範囲にある前記スポットが含まれていることを特徴とする着用物品。
【請求項２】
前記スポットは、前記横方向の寸法が３ｍｍを超えることのないものである請求項１に記載の着用物品。
【請求項３】
前記着用物品が前記前胴回り域と前記後胴回り域とにつながる股下域を有し、
前記前胴回り域と前記後胴回り域と前記股下域とが協働して前記着用物品の両側それぞれに前記脚回り開口を形成し、前記側部シーム域は、前記胴回り開口と前記脚回り開口との間に延びていて、前記側部シーム域の前記横方向の外側には、補強用の追加的接合スポットが形成され、
前記追加的接合スポットは、前記側部シーム域の前記縦方向の長さの１／１０から１／２の範囲に相当する長さを有し、前記胴回り開口の直下に位置する上方部分と、前記側部シーム域の前記縦方向の長さの１／１０から１／２の範囲に相当する長さを有し、前記脚回り開口の直上に位置する下方部分とに形成されている請求項１または２に記載の着用物品。
【請求項４】
前記シートは、前記横方向の両側にカットエンドを有し、前記カットエンドにおいて互いに固定され、
前記横方向において、前記側部シーム域と前記カットエンドとの間には、前記側縁部どうしを接合することのない非シーム域が形成され、
前記前胴回り域および前記後胴回り域では、前記２枚の不織布の間に胴回り方向へ延びる複数条の弾性部材が介在し、
前記非シーム域において前記横方向へ延びる複数条の前記弾性部材が収縮することによって前記縦方向へ延びるスリーブ状のふくらみが形成されている請求項１〜３のいずれかに記載の着用物品。
【請求項５】
前記スポットは、前記横方向における寸法が前記縦方向における寸法よりも大きいものである請求項１〜４のいずれかに記載の着用物品。
【請求項６】
前記前胴回り域および前記後胴回り域の前記２枚の不織布は、前記側部シーム域の最下部に位置する前記スポットよりも下方に位置する部分において、前記２枚の不織布の間に接着剤が介在しておらず、非接合の状態にある請求項１〜５のいずれかに記載の着用物品。
【請求項７】
前記前胴回り域および前記後胴回り域は、前記上方部分と、前記下方部分と、前記上方部分と前記下方部分との間に位置する中間部分とを有し、
前記側部シーム域は、前記上方部分の前記不織布の枚数が多く、前記中間部分および前記下方部分における前記不織布の枚数が、前記上方部分の前記不織布の枚数よりも少ない請求項３に記載の着用物品。
【手続補正２】
【補正対象書類名】明細書
【補正対象項目名】００１０
【補正方法】変更
【補正の内容】
【００１０】
前記課題を解決するために、本発明が対象とするのは、縦方向と横方向とを有する前胴回り域と後胴回り域それぞれの側縁部を形成しているシートどうしが合掌状に重なり合い、前記縦方向に分布する多数のスポットにおいて固定されて側部シーム域が形成されるとともに、胴回り開口と一対の脚回り開口とが形成されていて前記縦方向に延びる中心線に関して対称となる使い捨てのパンツ型の着用物品である。
【手続補正３】
【補正対象書類名】明細書
【補正対象項目名】００１１
【補正方法】変更
【補正の内容】
【００１１】
使い捨てのパンツ型着用物品において、本発明が特徴とするところは、以下のとおりである。
前記前胴回り域と前記後胴回り域それぞれの前記シートは熱可塑性合成繊維の繊度が０．１−４ｄｔｅｘであって、単位面積当たりの質量が７−２５ｇ／ｍ２の範囲にある少なくとも２枚の不織布によって形成され、前記２枚の不織布のうちの少なくとも１枚は前記縦方向の引張り強度が前記横方向の引張り強度よりも低いものであり、  前記側部シーム域は前記横方向の寸法が３ｍｍを超えることのないものであり、前記側部シーム域には、前記縦方向の寸法が１．５ｍｍを超えることのない多数の前記スポットであって、前記縦方向へ直状に延びる１本の仮想線に接して前記縦方向へ延びる列を形成し、前記縦方向で隣り合う前記スポットどうしの最小離間寸法が０．４〜５ｍｍの範囲にある前記スポットが含まれている。
【手続補正４】
【補正対象書類名】明細書
【補正対象項目名】００６５
【補正方法】変更
【補正の内容】
【００６５】
縦方向と横方向とを有する前胴回り域と後胴回り域それぞれの側縁部を形成しているシートどうしが合掌状に重なり合い、前記縦方向に分布する多数のスポットにおいて固定されて側部シーム域が形成されるとともに、胴回り開口と一対の脚回り開口とが形成されていて前記縦方向に延びる中心線に関して対称となる使い捨てのパンツ型の着用物品であって、前記前胴回り域と前記後胴回り域それぞれの前記シートは熱可塑性合成繊維の繊度が０．１−４ｄｔｅｘであって、単位面積当たりの質量が７−２５ｇ／ｍ２の範囲にある少なくとも２枚の不織布によって形成され、前記２枚の不織布のうちの少なくとも１枚は前記縦方向の引張り強度が前記横方向の引張り強度よりも低いものであり、前記側部シーム域は前記横方向の寸法が３ｍｍを超えることのないものであり、前記側部シーム域には、前記縦方向の寸法が１．５ｍｍを超えることのない多数の前記スポットであって、前記縦方向へ直状に延びる１本の仮想線に接して前記縦方向へ延びる列を形成し、前記縦方向で隣り合う前記スポットどうしの最小離間寸法が０．４〜５ｍｍの範囲にある前記スポットが含まれていることを特徴とする。
【手続補正５】
【補正対象書類名】明細書
【補正対象項目名】００６６
【補正方法】変更
【補正の内容】
【００６６】
上記の如く整理した本発明はまた、少なくとも下記の実施形態を含むことができる。その実施形態は、個々に採択することができる他に、互いに組み合わせて採択することもできる。
（１）前記スポットは、前記横方向の寸法が３ｍｍを超えることのないものである。
（２）前記着用物品が前記前胴回り域と前記後胴回り域とにつながる股下域を有し、前記前胴回り域と前記後胴回り域と前記股下域とが協働して前記着用物品の両側それぞれに前記脚回り開口を形成し、前記側部シーム域は、前記胴回り開口と前記脚回り開口との間に延びていて、前記側部シーム域の前記横方向の外側には、補強用の追加的接合スポットが形成され、前記追加的接合スポットは、前記側部シーム域の前記縦方向の長さの１／１０から１／２の範囲に相当する長さを有し、前記胴回り開口の直下に位置する上方部分と、前記側部シーム域の前記縦方向の長さの１／１０から１／２の範囲に相当する長さを有し、前記脚回り開口の直上に位置する下方部分とに形成されている。
（３）前記シートは、前記横方向の両側にカットエンドを有し、前記カットエンドにおいて互いに固定され、前記横方向において、前記側部シーム域と前記カットエンドとの間には、前記側縁部どうしを接合することのない非シーム域が形成され、前記前胴回り域および前記後胴回り域では、前記２枚の不織布の間に胴回り方向へ延びる複数条の弾性部材が介在し、前記非シーム域において前記横方向へ延びる複数条の前記弾性部材が収縮することによって前記縦方向へ延びるスリーブ状のふくらみが形成されている。
（４）前記スポットは、前記横方向における寸法が前記縦方向における寸法よりも大きいものである。
（５）前記前胴回り域および前記後胴回り域の前記２枚の不織布は、前記側部シーム域の最下部に位置する前記スポットよりも下方に位置する部分において、前記２枚の不織布の間に接着剤が介在しておらず、非接合の状態にある。
（６）前記前胴回り域および前記後胴回り域は、前記上方部分と、前記下方部分と、前記上方部分と前記下方部分との間に位置する中間部分とを有し、前記側部シーム域は、前記上方部分の前記不織布の枚数が多く、前記中間部分および前記下方部分における前記不織布の枚数が、前記上方部分の前記不織布の枚数よりも少ない。